(57)【要約】【課題】ビル設備の訪問実績の信頼度を向上させる。【解決手段】ビル設備１０の識別データを格納するＩＣタグ１１と、位置データとＩＣタグ１１から読み取ったビル設備１０の識別データとビル設備１０の周辺の音を所定時間録音した録音データとを発信する携帯端末２０と、携帯端末２０と通信して携帯端末２０から受信した各データの処理を行う訪問管理サーバ４０とを備え、訪問管理サーバ４０は、携帯端末２０から受信した今回識別データおよび今回位置データと携帯端末２０から過去に受信した前回識別データおよび前回位置データとに基づいて訪問結果を判定する訪問判定部４２と、携帯端末２０から受信した今回録音データと携帯端末２０から過去に受信した前回録音データとの特徴一致点の数をカウントするデータ処理部４３と、を有することを特徴とする。【選択図】図１
2018195230.tif 000002
【特許請求の範囲】
【請求項１】
ビル設備の識別データを格納する電子タグと、
位置データと、前記電子タグから読み取った前記ビル設備の前記識別データと、前記ビル設備の周辺の音を所定時間だけ録音した録音データと、を発信する携帯端末と、
前記携帯端末と通信して前記携帯端末から受信した各データの処理を行う訪問管理サーバと、を備える訪問実績管理システムであって、
前記訪問管理サーバは、
前記携帯端末から受信した今回識別データおよび今回位置データと、前記携帯端末から過去に受信した前回識別データおよび前回位置データと、に基づいて訪問結果を判定する訪問判定部と、
前記携帯端末から受信した今回録音データと前記携帯端末から過去に受信した前回録音データとの特徴一致点の数をカウントするデータ処理部と、を有する訪問実績管理システム。
【請求項２】
請求項１に記載の訪問実績管理システムであって、
前記データ処理部は、前記今回録音データを周波数分析した今回音周波数特性に含まれる音量ピーク周波数と、前記前回録音データを周波数分析した前回音周波数特性に含まれる音量ピーク周波数と、が一致する数を前記特徴一致点の数とする訪問実績管理システム。
【請求項３】
請求項１または２に記載の訪問実績管理システムであって、
前記訪問管理サーバは、
前記携帯端末から受信した前記ビル設備の前記識別データと前記録音データと前記携帯端末の前記位置データと、前記訪問判定部が判定した訪問判定結果と、前記データ処理部がカウントした特徴一致点の数とを対応づけて格納した訪問管理データベースを有し、
前記データ処理部は、前記携帯端末から受信した前記今回録音データと前記訪問管理データベースに格納された複数の前記録音データとの特徴一致点の数をカウントし、一番大きい数を前記今回録音データの特徴一致点の数として前記訪問管理データベースに格納する訪問実績管理システム。
【請求項４】
請求項２または３に記載の訪問実績管理システムであって、
前記訪問管理サーバの前記訪問判定部は、
前記データ処理部がカウントした前記特徴一致点の数が所定値以上の場合に訪問結果を正常と判定する訪問実績管理システム。
【請求項５】
請求項１から４のいずれか１項に記載の訪問実績管理システムであって、
前記訪問管理サーバは、前記ビル設備の前記識別データと運転予定とを対応づけて格納したビル設備運用データベースを有し、
前記携帯端末は、前記録音データを録音した時刻データを発信し、
前記訪問管理サーバの前記訪問判定部は、
前記携帯端末から受信した今回識別データおよび今回位置データと前記携帯端末から過去に受信した前回識別データおよび前回位置データとに基づいて、または、前記携帯端末から受信した前記今回識別データおよび前記今回録音データおよび今回時刻データと、前記ビル設備運用データベースの前記識別データおよび前記運転予定とに基づいて、訪問の判定を行う訪問実績管理システム。
【発明の詳細な説明】
【技術分野】
【０００１】
本発明は、ビル設備の保守点検のための訪問実績を管理するシステムに関する。
【背景技術】
【０００２】
ビルに設置された空調機器、給水機器等のビル設備は定期的な保守、管理が必要とされる。このため、保守作業員がこれらの設備が設置されているビルを巡回訪問して点検、保守を行うサービスが提供されている。このサービスでは、訪問先のビルに予め識別データを格納したＩＣタグを設置しておき、訪問時にＩＣタグ内に格納されている識別データを読み出したことにより、訪問証明とする訪問管理システムが用いられている（例えば、特許文献１参照）。
【先行技術文献】
【特許文献】
【０００３】
【特許文献１】特開２０１４−１０６６７１号公報
【発明の概要】
【発明が解決しようとする課題】
【０００４】
しかし、ＩＣタグは小型軽量であり訪問先のビル等から取り外される可能性がある。特許文献１に記載された訪問管理システムでは、訪問先のビル等からＩＣタグを取り外された場合にも訪問実績が残されてしまう場合があり、訪問実績の信頼度について改善すべき余地がある。
【０００５】
そこで、本発明は、ビル設備の訪問実績の信頼度を向上させることを目的とする。
【課題を解決するための手段】
【０００６】
本発明の訪問実績管理システムは、ビル設備の識別データを格納する電子タグと、位置データと前記電子タグから読み取った前記ビル設備の前記識別データと前記ビル設備の周辺の音を所定時間だけ録音した録音データとを発信する携帯端末と、前記携帯端末と通信して前記携帯端末から受信した各データの処理を行う訪問管理サーバと、を備える訪問実績管理システムであって、前記訪問管理サーバは、前記携帯端末から受信した今回識別データおよび今回位置データと前記携帯端末から過去に受信した前回識別データおよび前回位置データとに基づいて訪問結果を判定する訪問判定部と、前記携帯端末から受信した今回録音データと前記携帯端末から過去に受信した前回録音データとの特徴一致点の数をカウントするデータ処理部と、を有することを特徴とする。
【０００７】
本発明の訪問実績管理システムにおいて、前記データ処理部は、前記今回録音データを周波数分析した今回音周波数特性に含まれる音量ピーク周波数と前記前回録音データを周波数分析した前回音周波数特性に含まれる音量ピーク周波数とが一致する数を前記特徴一致点の数としてもよい。
【０００８】
本発明の訪問実績管理システムにおいて、前記訪問管理サーバは、前記携帯端末から受信した前記ビル設備の前記識別データと前記録音データと前記携帯端末の前記位置データと、前記訪問判定部が判定した訪問判定結果と、前記データ処理部がカウントした特徴一致点の数とを対応づけて格納した訪問管理データベースを有し、前記データ処理部は、前記携帯端末から受信した前記今回録音データと前記訪問管理データベースに格納された複数の前記録音データとの特徴一致点の数をカウントし、一番大きい数を前記今回録音データの特徴一致点の数として前記訪問管理データベースに格納してもよい。
【０００９】
本発明の訪問実績管理システムにおいて、前記訪問管理サーバの前記訪問判定部は、前記データ処理部がカウントした前記特徴一致点の数が所定値以上の場合に訪問結果を正常と判定してもよい。
【００１０】
本発明の訪問実績管理システムにおいて、前記訪問管理サーバは、前記ビル設備の前記識別データと運転予定とを対応づけて格納したビル設備運用データベースを有し、前記携帯端末は、前記録音データを録音した時刻データを発信し、前記訪問管理サーバの前記訪問判定部は、前記携帯端末から受信した今回識別データおよび今回位置データと前記携帯端末から過去に受信した前回識別データおよび前回位置データとに基づいて、または、前記携帯端末から受信した前記今回識別データおよび前記今回録音データおよび今回時刻データと、前記ビル設備運用データベースの前記識別データおよび前記運転予定とに基づいて、訪問の判定を行ってもよい。
【発明の効果】
【００１１】
本発明は、ビル設備の訪問実績の信頼度を向上させることができる。
【図面の簡単な説明】
【００１２】
【図１】実施形態における訪問実績管理システムの構成を示す系統図である。
【図２】図１に示す訪問実績管理システムの訪問管理データベースの構成を示す図である。
【図３】図１に示す訪問実績管理システムのビル設備運用データベースの構成を示す図である。部
【図４】図１に示す訪問実績管理システムのビル設備データベースの構成を示す図である。
【図５】図１に示す訪問実績管理システムの携帯端末の動作を示すフローチャートである。
【図６】図１に示す訪問実績管理システムの訪問管理サーバの動作を示すフローチャートである。
【図７】図６に示す特徴一致点の数のカウント処理の内容を示すフローチャートである。
【図８】今回音周波数特性（ａ）と、前回音周波数特性（ｂ）とを示す図である。
【図９】図１に示す訪問実績管理システムの訪問管理サーバの他の動作を示すフローチャートである。
【図１０】図１に示す訪問実績管理システムの訪問管理サーバの他の動作を示すフローチャートである。
【図１１】図１に示す訪問実績管理システムの訪問管理サーバの他の動作を示すフローチャートである。
【発明を実施するための形態】
【００１３】
以下、図面を参照しながら実施形態の訪問実績管理システム１００について説明する。図１に示すように、訪問実績管理システム１００は、空調機器、給水機器等のビル設備１０に取り付けられた電子タグであるＩＣタグ１１と、携帯端末２０と、携帯端末２０から受信したデータの処理を行う訪問管理サーバ４０と、ビル設備データベース５０とを備えている。
【００１４】
ＩＣタグ１１は、ビル設備１０のＩＤ番号、機種、製造番号等のビル設備１０の識別データを格納している。また、ＩＣタグ１１には識別データであるＩＣタグ番号が付けられている。
【００１５】
携帯端末２０は、例えば、スマートフォンやタブレット端末のように、ビル設備１０の保守、点検を行う作業者が携行する通信機能を持つ情報処理装置であり、内部に情報処理を行うＣＰＵとプログラムやデータを格納するメモリと入出力機器とを備えるコンピュータである。携帯端末２０は、タグ読取部２１と、録音部２２と、位置情報取得部２３と、時計２４と、表示部２５と、通信部２６とを備えている。タグ読取部２１、録音部２２、位置情報取得部２３、時計２４、表示部２５、通信部２６は、それぞれＣＰＵと、メモリと、メモリに格納された動作プログラムと、が協働することによって実現される機能ブロックである。また、携帯端末２０は、識別子と携帯端末２０を携行する作業者名とが登録されており、データの送信を行う際には識別子と作業者名とを一緒に送信する。
【００１６】
タグ読取部２１は、ＩＣタグ１１から識別データを読み取るものである。携帯端末２０に内蔵されているものでもよいし、携帯端末２０に外付けしたカードリーダであってもよい。録音部２２は、携帯端末２０に内蔵されたマイクと携帯端末２０の中のＣＰＵとメモリと録音プログラムとで構成され、マイクで拾った音を電子データとしてメモリの中に格納するものである。位置情報取得部２３は、携帯端末２０の中に内蔵されているＧＰＳから携帯端末２０の位置データを取得するものである。時計２４は、携帯端末２０に内蔵されている時計である。表示部２５は、携帯端末２０の表示画面であり、各種データを表示するものである。通信部２６は、タグ読取部２１、録音部２２、位置情報取得部２３、時計２４、表示部２５と接続され、各部２１〜２３、時計２４から取得したデータを現場データに統合して発信するものである。発信された現場データは、インターネット回線３０を介して訪問管理サーバ４０に送信される。また、通信部２６は、訪問管理サーバ４０から現場データ処理結果を受信し、表示部２５に表示する。
【００１７】
訪問管理サーバ４０は、通信部４１と、訪問判定部４２と、データ処理部４３と、訪問管理データベース４６、ビル設備運用データベース４７を格納する記憶部４５とで構成されている。通信部４１は、インターネット回線３０を介して携帯端末２０から現場データを受信するとともに、訪問判定部４２が判定した訪問結果を携帯端末２０に送信する。訪問判定部４２は、携帯端末２０から受信した今回識別データおよび今回位置データと、携帯端末２０から過去に受信した前回識別データおよび前回位置データとに基づいて訪問結果を判定する。データ処理部４３は、携帯端末２０から受信した今回録音データと携帯端末２０から過去に受信した前回録音データとの特徴一致点の数をカウントする。
【００１８】
訪問管理データベース４６は、携帯端末２０から受信したビル設備１０の識別データと録音データと携帯端末２０の位置データと、訪問判定部４２が判定した訪問判定結果と、データ処理部４３がカウントした特徴一致点の数とを対応づけて格納したものである。詳細には、図２に示すように、設備ＩＤ番号、ＩＣタグ番号で構成される識別データに、携帯端末２０の位置データと、録音開始日時、録音終了日時、録音データと、訪問判定結果である処理フラグと、特徴一致点の数と、データ格納日時とを対応させたものである。また、設備ＩＤ番号、ＩＣタグ番号、位置データ、録音データ、録音開始、終了日時は、携帯端末２０が訪問管理サーバ４０に送信する現場データを構成する。ここで、処理フラグは、今回の訪問データと過去の訪問データとの対比により訪問が正常と判定された場合には１が入力され、訪問が異常と判定された場合には２が入力され、過去の訪問データが無くデータの対比ができない場合には０が入力される。
【００１９】
ビル設備運用データベース４７は、ビル設備１０の識別データと運転予定とを対応づけて格納したものである。詳細には、図３に示すように、ビル設備１０の設備ＩＤ番号に運用日毎の運用予定表のデータが格納されている。運用予定表は、運用日におけるその設備の起動時間と停止時間、時間に対する予定運転負荷をマップとしたものである。
【００２０】
訪問管理サーバ４０は、情報処理を行うＣＰＵと、プログラム等のデータを格納するメモリとをデータバスで接続したコンピュータである。訪問判定部４２は、ＣＰＵと、メモリと、メモリに格納された動作プログラムが協働することによって実現される機能ブロックである。同様に、データ処理部４３も、ＣＰＵと、メモリと、メモリに格納された動作プログラムが協働することによって実現される機能ブロックである。また、記憶部４５はメモリによって実現されるものであり、訪問管理データベース４６、ビル設備運用データベース４７は、メモリ中に格納されたデータ構造である。
【００２１】
ビル設備データベース５０は、通信ネットワーク３５を介して訪問管理サーバ４０に接続され、ビル設備１０の基本データが格納されたものである。詳しくは、図４に示すように、ビル設備１０の設備ＩＤ番号に、ビル設備１０の機種、製造日、製造番号、設置ビル名称、取り付けらけれているＩＣタグ１１のＩＣタグ番号を対応づけて格納したものである。
【００２２】
次に、図５から図８を参照しながら、訪問実績管理システム１００の動作について説明する。
【００２３】
図５のステップＳ１０１に示すように、携帯端末２０のタグ読取部２１は、ＩＣタグ１１からビル設備１０の識別データである設備ＩＤ番号とＩＣタグ番号とを読みだして通信部２６に出力する。次に、携帯端末２０の位置情報取得部２３は、図５のステップＳ１０２に示すように、携帯端末２０に内蔵されているＧＰＳシステムから携帯端末２０の位置データを取得して通信部２６に出力する。ここで、位置データとは、例えば、緯度と経度で表されるものであってもよい。次に、携帯端末２０の録音部２２は、図５のステップＳ１０３に示すように、ビル設備１０の周辺の音を所定時間だけ録音する。ここで、所定時間とは、後で説明する周波数分析ができる程度の時間であればよく、例えば、２−１０秒程度でもよい。また、ビル設備１０の周辺の音とは、ビル設備１０の運転音とビル設備１０の周辺の環境音との合成音である。従って、録音は、ビル設備１０の直近ではなく、周囲の環境音との合成音を録音できる程度に少し離れた場所で行なってもよい。録音部２２は、録音を開始したら録音開始信号を時計２４に出力する。これにより時計２４は録音開始日時を通信部２６に出力する。そして、録音が終了したら録音部２２は録音終了信号を時計２４に出力する。これにより、時計２４は、録音終了日時を通信部２６に出力する。これにより、通信部２６は、図５のステップＳ１０４に示す録音時刻を取得する。
【００２４】
通信部２６は、タグ読取部２１から識別データである設備ＩＤ番号とＩＣタグ番号を取得し、位置情報取得部２３から携帯端末２０の位置データを取得し、録音部２２から録音データを取得し、時計２４から録音開始日時と録音終了日時とを取得したら、図５のステップＳ１０５に示すように、設備ＩＤ番号とＩＣタグ番号、位置データ、録音データ、録音開始日時と録音終了日時および携帯端末２０の識別子と作業者名とを一括とした現場データを生成する。そして、通信部２６は、図５のステップＳ１０６に示すように、現場データを訪問管理サーバ４０に送信する。
【００２５】
なお、以上の説明では、識別データの取得、位置データの取得、録音は、順次行うこととして説明したが、同時に各データを取得するようにしてもよい。
【００２６】
図６のステップＳ２０１に示すように、訪問管理サーバ４０の通信部４１は、携帯端末２０が送信した現場データを受信する。そして通信部４１は、受信した現場データを訪問判定部４２に出力する。訪問判定部４２は、図６のステップＳ２０２に示すように、受信した現場データ中の設備ＩＤ番号とＩＣタグ番号を読み出し、訪問管理データベース４６の中に過去に携帯端末２０から受信した当該設備ＩＤ番号とＩＣタグ番号のデータセットがあるかどうかを確認する。そして、訪問管理データベース４６の中に過去に携帯端末２０から受信した当該設備ＩＤ番号とＩＣタグ番号のデータセットがある場合には、図６のステップＳ２０３に進み、受信した現場データから位置データを読み出して今回位置データとし、訪問管理データベース４６の中の当該設備ＩＤ番号とＩＣタグ番号のデータセットから携帯端末２０の位置データを読み出して前回位置データとする。訪問管理データベース４６の中に過去に携帯端末２０から受信した当該設備ＩＤ番号とＩＣタグ番号のデータセットが複数ある場合には、訪問が正常と判定されて処理フラグが１のデータセット中で最新のデータセットに含まれる位置データを前回位置データとする。
【００２７】
そして、訪問判定部４２は、図６のステップＳ２０３において、今回位置データと前回位置データとに基づいて今回位置と前回位置との距離を計算し、その距離が所定値以内の場合には、携帯端末２０の今回位置は、訪問が正常と判定された前回位置の近傍であり、今回の訪問は正常と判断して図６のステップ２０４に進み処理フラグを１とする。ここで、所定値は自由に設定できるが、例えば、１０ｍから２０ｍ程度に設定してもよい。
【００２８】
データ処理部４３は、図６のステップＳ２０５において、録音データの特徴一致点の数をカウントする。データ処理部４３は、受信した現場データから録音データを読み出して今回録音データとし、訪問管理データベース４６の中の当該設備ＩＤ番号とＩＣタグ番号のデータセットから携帯端末２０の録音データを読み出して前回録音データとする。訪問管理データベース４６の中に当該設備ＩＤ番号とＩＣタグ番号のデータセットが複数ある場合には、訪問が正常と判定されて処理フラグが１のデータセット中で最新のデータセットに含まれる録音データを前回録音データとする。
【００２９】
図７のステップＳ３０１に示すように、データ処理部４３は、今回録音データを周波数分析して図８（ａ）に示すような今回周波数特性を生成する。今回音周波数特性は周波数に対する音量の変化を示すものである。また、データ処理部４３は、図７のステップＳ３０２に示すように、前回録音データを周波数分析して図８（ｂ）に示すような前回音周波数特性を生成する。そして、データ処理部４３は、図７のステップＳ３０３において、図８（ａ）に示す今回音周波数特性に含まれる音量ピーク周波数と、図８（ｂ）に示す前回音周波数特性に含まれる音量ピーク周波数とが一致する数をカウントする。図８（ａ）に示すように今回音周波数特性は、周波数ｆ１、ｆ２、ｆ３、ｆ４に音量のピークがある。また、図８（ｂ）に示すように、前回音周波数特性は、周波数ｆ１、ｆ２に音量のピークがある。すると、今回音周波数特性と前回音周波数特性とは、共に周波数ｆ１、ｆ２に音量のピークがある。従って、音量ピーク周波数の一致数は２個である。データ処理部４３は、音量ピーク周波数の一致数である２を今回録音データと前回録音データの特徴一致点の数とする。
【００３０】
ここで、周波数ｆ１、ｆ２、ｆ３、ｆ４の一例について説明する。例えば、周波数ｆ２は、モータの回転数やインバータのキャリア周波数等のビル設備１０の固有の運転音であり、周波数ｆ１、ｆ２、ｆ３は、ビル設備１０が設置されている周辺の環境音である。例えば、ｆ１はビル設備１０が設置されている場所の近傍に設置されているボイラ等の他の設備の運転音であり、ｆ２、ｆ３は周囲を走行する自動車、電車の音等の合成音に含まれる周波数のピークである。図８（ａ）の今回データは、ビル設備１０の運転音と周囲のボイラの運転音、自動車、電車の音が合成した音の周波数特性であり、図８（ｂ）はビル設備１０の運転音と周囲のボイラの運転音の合成音の周波数特性を示す。従って、今回録音データと前回録音データとは、同様のビル設備１０の運転音とボイラの運転音とを含むものであり、同様の位置で録音されていると推定されることを意味する。今回録音データと前回録音データの特徴一致点の数が多いほど、より強く同様の位置で録音されたことが推定される。逆に、特徴一致点が無い場合には、今回録音データと前回録音データとは別の位置で録音されたものであり、所定のビル設備１０を訪問していない可能性を示すものである。
【００３１】
一方、図６のステップＳ２０２においてＮＯと判断した場合、訪問判定部４２は、前回位置データと今回位置データとの対比ができないので、前回位置データと今回位置データとの照合を行わずに、正常と判断して処理フラグ０を出力する。
【００３２】
また、訪問判定部４２は、図６のステップＳ２０３でＮＯと判断した場合には、携帯端末２０の今回位置は、訪問が正常と判定された前回位置の近傍になく、今回の訪問は異常であると判断して処理フラグ２を出力する。
【００３３】
訪問判定部４２は、図６のステップＳ２０６において、携帯端末２０から受信した設備ＩＤ番号とＩＣタグ番号、位置データ、録音データ、録音開始日時と録音終了日時、携帯端末２０の識別子、作業名と、訪問判定部４２が出力した処理フラグの数字とを訪問管理データベース４６に格納する。また、訪問判定部４２は、データ格納日時、携帯端末２０から送信された識別子と作業者名も一緒に訪問管理データベース４６に格納する。また、データ処理部４３は、出力した特徴一致点の数を訪問管理データベース４６に格納する。
【００３４】
通信部４１は、図６のステップＳ２０７で、訪問管理データベース４６に格納された処理フラグを携帯端末２０に送信する。
【００３５】
携帯端末２０は、図５のステップＳ１０６において、現場データを訪問管理サーバ４０に送信した後、図５のステップＳ１０７に示すように、訪問管理サーバ４０から処理フラグを受信するまで待機する。そして、処理フラグを受信したら、図５のステップＳ１０８に進む。
【００３６】
携帯端末２０は、処理フラグが０の場合、つまり、前回位置データが無いので前回位置データと今回位置データとの照合を行わずに正常と判断された場合には、図５のステップＳ１０９に進み、「正常（照合なし）」と表示する。また、処理フラグが１の場合、つまり、携帯端末２０の今回位置は、訪問が正常と判定された前回位置の近傍であり今回の訪問は正常と判断された場合には、図５のステップＳ１１０に進み、「正常（照合有）」と表示する。処理フラグが２の場合、つまり、携帯端末２０の今回位置は訪問が正常と判定された前回位置の近傍になく今回の訪問は異常であると判断された場合には、図５のステップＳ１１１に進み、「照合失敗」と表示する。
【００３７】
このように、本実施形態の訪問実績管理システム１００は、ＩＣタグ１１の識別データを取得した携帯端末２０の今回位置が前回位置と離れている場合には、携帯端末２０に「照合失敗」と表示して、保守、点検を行う作業者に適切に所定のビル設備１０を訪問しているかを確認させることができる。これにより、作業者に適切に所定のビル設備１０の訪問を促して、確実にビル設備１０の訪問を行わせることができる。これにより、ビル設備１０の訪問実績の信頼度を向上させることができる。
【００３８】
また、前回録音データと今回録音データとの特徴一致点の数を取得することにより、所定のビル設備１０を訪問していない可能性を抽出することができる。これを管理者が活用することにより、更に、ビル設備１０の訪問実績の信頼度を向上させることができる。
【００３９】
以上説明した動作では、訪問管理データベース４６の中に当該設備ＩＤ番号とＩＣタグ番号のデータセットが複数ある場合には、訪問が正常と判定されて処理フラグが１のデータセット中で最新のデータセットに含まれる録音データを前回録音データとすることとして説明したが、これに限らず、以下のような動作としてもよい。
【００４０】
訪問管理データベース４６の中に過去に携帯端末２０から受信した当該設備ＩＤ番号とＩＣタグ番号のデータセットが複数ある場合、データ処理部４３は、その中の１つのデータセットに含まれる録音データと今回録音データとの特徴一致点の数をカウントする動作を所定の回数行い、一番大きな数を今回録音データの特徴一致点の数として訪問管理データベース４６に格納するようにしてもよい。これにより、録音のタイミングによるカウント数のバラツキを低減し、安定したカウント数を訪問管理データベース４６に格納することができ、訪問実績の管理精度を向上させることができる。
【００４１】
次に、図９を参照しながら、本実施形態の訪問実績管理システム１００の他の動作について説明する。先に図５から図８を参照して説明した動作と同様の動作については、同様のステップ符号を付して説明は省略する。
【００４２】
本動作は、図９のステップＳ２０３で今回位置と前回位置との距離が所定値以内の場合に、図９のステップＳ４０１に進み、図６のステップＳ２０６と同様、特徴一致点の数 をカウントする処理を行い、その後、図６のステップＳ４０２において、特徴一致点の数が所定の値以上、例えば、１以上の場合に処理フラグを１とするものである。このように、今回位置と前回位置との距離が所定値以内の場合に加えて、特徴一致点があることを訪問が正常と判断する条件とすることにより、訪問実績の信頼度をより向上させることができる。
【００４３】
また、本動作においても、先に図５から図８を参照して説明した動作と同様、訪問管理データベース４６の中に過去に携帯端末２０から受信した当該設備ＩＤ番号とＩＣタグ番号のデータセットが複数ある場合、データ処理部４３は、その中の１つのデータセットに含まれる録音データと今回録音データとの特徴一致点の数をカウントする動作を所定の回数行い、一番大きな数を今回録音データの特徴一致点の数として訪問管理データベース４６に格納するようにしてもよい。これにより、特徴一致点の数を用いても安定して訪問の正常の判定を行うことができ、訪問実績の信頼度をより向上させることができる。
【００４４】
次に、図１０を参照しながら、本実施形態の訪問実績管理システム１００のもう一つの他の動作について説明する。先に図５から図８を参照して説明した動作と同様の動作については、同様のステップ符号を付して説明は省略する。
【００４５】
図１０に示すように、本動作は、今回位置と前回位置との距離が所定値以内、または、今回録音データとビル設備１０の運転予定との間に整合性があるかどうかにより訪問が正常かどうかを判定するものである。
【００４６】
訪問判定部４２は、図１０のステップＳ５０１に示すように、受信した現場データ中の設備ＩＤ番号とＩＣタグ番号を読み出し、訪問管理データベース４６の中に過去に携帯端末２０から受信した当該設備ＩＤ番号とＩＣタグ番号のデータセットがあるかどうかを確認する。訪問管理データベース４６の中に当該設備ＩＤ番号とＩＣタグ番号のデータセットがある場合には、訪問判定部４２は、図１０のステップＳ５０１において、受信した現場データから位置データを読み出して今回位置データとし、訪問管理データベース４６の中の当該設備ＩＤ番号とＩＣタグ番号のデータセットから携帯端末２０の位置データを読み出して前回位置データとする。訪問管理データベース４６の中に当該設備ＩＤ番号とＩＣタグ番号のデータセットが複数ある場合には、訪問が正常と判定されて処理フラグが１のデータセット中で最新のデータセットに含まれる位置データを前回位置データとする。そして、訪問判定部４２は、図１０のステップＳ５０２に進む。
【００４７】
訪問判定部４２は、図１０のステップＳ５０２において、今回位置データと前回位置データとに基づいて今回位置と前回位置との距離を計算し、その距離が所定値以内の場合には、携帯端末２０の今回位置は、訪問が正常と判定された前回位置の近傍であり、今回の訪問は正常と判断して図１０のステップ２０４に進み処理フラグを１とする。ここで、所定値は自由に設定できるが、例えば、１０ｍから２０ｍ程度に設定してもよい。
【００４８】
また、訪問判定部４２は、図１０のステップＳ５０２でＮＯと判断した場合には、携帯端末２０の今回位置は、訪問が正常と判定された前回位置の近傍になく、今回の訪問は異常であると判断して図１０のステップＳ５０３に進み、処理フラグ２を出力する。
【００４９】
また、訪問判定部４２は、図１０のステップＳ５０１でＮＯと判断した場合には、図１０のステップＳ５０４に進む。訪問判定部４２は、図１０のステップＳ５０４において、受信した現場データ中の設備ＩＤ番号とＩＣタグ番号を読み出し、ビル設備運用データベース４７の中に当該設備ＩＤ番号のデータセットがあるかどうかを確認する。ビル設備運用データベース４７の中に当該設備ＩＤ番号のデータセットがある場合には、訪問判定部４２は、図１０のステップＳ５０５に進み、受信した現場データから録音データを読み出して今回録音データとし、録音開始日時を読みだして今回時刻データとする。また、訪問判定部４２は、ビル設備運用データベース４７の中に当該設備ＩＤ番号のデータセットから運用予定表を読み出す。
【００５０】
訪問判定部４２は、図１０のステップＳ５０５において、今回録音データと運用予定表との間の整合性を確認する。整合性は、例えば、運用予定表中の運用マップ中の時間からそのビル設備１０の運転、停止を取得し、運転中の場合には、今回録音データ中にビル設備１０の運転音の特徴周波数の音が含まれている場合に整合性が有ると判断し、停止中にも関わらずビル設備１０の運転音の特徴周波数の音が含まれている場合には整合性が無いと判断する。ここで、運転音の特徴周波数は、ビル設備データベース５０の中の当該設備ＩＤ番号を含むデータセットからそのビル設備１０の種別、機種等を抽出し、その機種の特徴周波数を取得するようにしてもよい。例えば、ビル設備１０が空調室外機である場合、その機種からインバータ制御のキャリア周波数を特定し、その特定のキャリア周波数を運転音の特徴周波数としてもよい。そして、訪問判定部４２は、図１０のステップＳ５０５で整合性がある（ＹＥＳ）と判断した場合には、今回の訪問は正常と判断して図１０のステップ２０４に進み処理フラグを１とする。
【００５１】
また、訪問判定部４２は、図１０のステップＳ５０５でＮＯと判断した場合には、今回の訪問は異常であると判断して図１０のステップＳ２０９に進み、処理フラグ２を出力する。
【００５２】
また、訪問判定部４２は、前回位置データと今回位置データとの対比ができず、今回録音データと運転予定表との対比もできない場合、図１０のステップＳ５０４でＮＯと判断して図１０のステップＳ２０８に進み、処理フラグ０を出力する。
【００５３】
本動作は、訪問管理データベース４６の中に当該設備ＩＤ番号とＩＣタグ番号のデータセットがなく、前回位置データと今回位置データとの対比ができない場合でも、今回録音データと運転予定表との対比により訪問の正常、異常を判定できるので、訪問実績の信頼度をより向上させることができる。
【００５４】
以上、図１０を参照して説明した動作では、先に訪問管理データベース４６の中に当該設備ＩＤ番号とＩＣタグ番号のデータセットが有るかどうかを判断するようにしたが、図１１に示すように、ビル設備運用データベース４７の中に当該設備ＩＤ番号のデータセットが有るかどうかを先に判断するようにしてもよい。
【符号の説明】
【００５５】
１０  ビル設備、１１  ＩＣタグ、２０  携帯端末、２１  タグ読取部、２２  録音部、２３  位置情報取得部、２４  時計、２５  表示部、２６  通信部、３０  インターネット回線、３５  通信ネットワーク、４０  訪問管理サーバ、４１  通信部、４２  訪問判定部、４３  データ処理部、４５  記憶部、４６  訪問管理データベース、４７  ビル設備運用データベース、５０  ビル設備データベース、１００  訪問実績管理システム。
【図１】
2018195230.tif 000003
【図２】
2018195230.tif 000004
【図３】
2018195230.tif 000005
【図４】
2018195230.tif 000006
【図５】
2018195230.tif 000007
【図６】
2018195230.tif 000008
【図７】
2018195230.tif 000009
【図８】
2018195230.tif 000010
【図９】
2018195230.tif 000011
【図１０】
2018195230.tif 000012
【図１１】
2018195230.tif 000013